(57)【要約】【課題】迅速かつ簡単に組み付け組み外し可能で高い耐負荷性を有しているような、織機のための綜絖を提供する。【解決手段】織機のための綜絖１であって、綜絖棒２が設けられており、該綜絖棒には綜絖子支持装置６が設けられていて、前記綜絖棒は、端部側で開かれた中空室９を壁１１，１２，１３，１４で取り囲んでいて、該壁には係止開口１９が形成されており、側方支持体５が設けられており、該側方支持体は前記綜絖棒２の端部に結合されており、この綜絖棒に対してほぼ直角に延びていて、前記側方支持体には、中空室内に延びる側方のピンが設けられており、結合部材８が設けられており、該結合部材８は、ピン１７に係合する保持脚１６，２３を有しており、中空室内に保持されていて、前記結合部材が、係止開口に配属される係止突起１８と、該係止突起の反対側に位置するように配置された、壁に支持される手段２６とを有している。【選択図】図２
2005126886.tif 000002
【特許請求の範囲】
【請求項１】
織機のための綜絖（１）であって、
少なくとも１つの綜絖棒（２）が設けられており、該綜絖棒には綜絖子支持装置（６）が設けられていて、前記綜絖棒（２）は、端部側で開かれた中空室（９）を壁（１１，１２，１３，１４）で取り囲んでいて、該壁には係止開口（１９）が形成されており、
少なくとも１つの側方支持体（５）が設けられており、該側方支持体（５）は前記綜絖棒（２）の端部に結合されており、この綜絖棒（２）に対してほぼ直角に延びていて、前記側方支持体（５）には、中空室（９）内に延びる側方のピン（１７）が設けられており、
結合部材（８）が設けられており、該結合部材（８）は、ピン（１７）に係合する保持脚（１６，２３）を有しており、中空室（９）内に保持されていて、前記結合部材（８）が、係止開口（１９）に配属される係止突起（１８）と、該係止突起（１８）の反対側に位置するように配置された、壁（１１，１２，１３，１４）に支持される手段（２６）とを有していることを特徴とする、織機のための綜絖。
【請求項２】
前記手段（２６）がばね手段である、請求項１記載の綜絖。
【請求項３】
前記脚（１６，２３）の端部に、ばね弾性的に形成された当接区分（４２，４３）が設けられている、請求項１記載の綜絖。
【請求項４】
係止開口（１９）が貫通孔であって、該貫通孔（１９）から係止突起（１８）を外部から見ることができる、請求項１記載の綜絖。
【請求項５】
結合部材（８）の脚（１６，２３）とピン（１７）との間に中間部材（３５）が配置されている、請求項１記載の綜絖。
【請求項６】
中間部材（３５）が、端部領域に形成された延長部（３８，３９）を備えた有利にはばね弾性的な２つの脚（３６，３７）を有している、請求項５記載の綜絖。
【請求項７】
織機のための綜絖（１）であって、
少なくとも１つの綜絖棒（２）が設けられており、該綜絖棒（２）には綜絖子支持装置（６）が設けられていて、綜絖棒の壁（１１，１２，１３，１４）が、端部側で開かれた中空室（９）を取り囲んでおり、
少なくとも１つの側方支持体（５）が設けられており、該側方支持体（５）は綜絖棒（２）の端部に結合されていて、前記綜絖棒（２）に対してほぼ直角に延びていて、前記側方支持体（５）には、中空室（９）内に延びる側方のピン（１７）が設けられていて、該ピン（１７）は２つの扁平面（５１，５２）を有しており、
保持部材（８，３５）が設けられており、該保持部材は中空室（９）内に保持されていて、ピン（１７）に係合する保持脚（１６，２３）を有しており、該保持脚（１６，２３）は形状接続的な固定手段（４９）を備えており、該固定手段はピン（１７）を、扁平面（５１，５２）に対して直角方向で位置固定して保持することを特徴とする、織機のための綜絖。
【請求項８】
扁平面（５１，５２）が、それぞれ隣接する壁（１３，１４）に対して間隔をおいてギャップを形成して平行に配置されている、請求項７記載の綜絖。
【請求項９】
保持部材が結合部材（８）であって、該結合部材（８）が、綜絖棒（２）と直接的に結合されて保持されている、請求項７記載の綜絖。
【請求項１０】
保持部材が中間部材（３５）であって、該中間部材（３５）が、直接的に綜絖棒（２）に結合されている結合部材（８）によって保持されている、請求項７記載の綜絖。
【請求項１１】
織機のための綜絖（１）であって、
少なくとも１つの綜絖棒（２）が設けられており、該綜絖棒（２）には綜絖子支持装置（６）が設けられていて、前記綜絖棒（２）が、端部側で開かれた中空室（９）を壁（１１，１２，１３，１４）で取り囲んでおり、
少なくとも１つの側方支持体（５）が設けられており、該側方支持体（５）は前記綜絖棒（２）の端部に結合されており、前記綜絖棒（２）に対してほぼ直角に延びていて、前記側方支持体（５）には、中空室（９）内に延びる側方のピン（１７）が設けられており、
非対称的な保持部材（８，３５）が設けられており、該保持部材（８，３５）は中空室（９）内に保持されていて、ピン（１７）に係合する保持脚（１６，２３；３６，３７）を有しており、該保持脚はピン（１７）を位置固定するように保持しており、前記保持部材（８，３５）が、互いに１８０°異なる２つの挿入位置で綜絖棒（２）内に挿入可能であることを特徴とする、織機のための綜絖。
【請求項１２】
保持部材が、綜絖棒内に直接的に保持される結合部材（８）である、請求項１１記載の綜絖。
【請求項１３】
保持部材が中間部材（３５）であって、該中間部材は、綜絖棒（２）内に直接的に保持されている結合部材（８）内に保持されている、請求項１１記載の綜絖。
【請求項１４】
織機のための綜絖であって、
少なくとも１つの綜絖棒（２）が設けられており、該綜絖棒には綜絖子支持装置（６）が設けられており、前記綜絖棒（２）が、端部側で開かれた中空室（９）を壁（１１，１２，１３，１４）で取り囲んでおり、
少なくとも１つの側方支持体（５）が設けられており、該側方支持体（５）が綜絖棒（２）の端部に結合されていて、前記綜絖棒（２）に対してほぼ直角に延びていて、前記側方支持体（５）に、中空室（９）内に延びる側方のピン（１７）が設けられており、
異なる保持部材（３５）のセット（６６）が設けられており、このセット（６６）から、中空室（９）内に配置され保持される１つの保持部材を選択することができ、該保持部材が、ピン（１７）に係合する保持脚を有しており、該保持脚はピン（１７）を位置固定して保持し、この場合、セット（６６）の各保持部材（３５−１，３５−２，３５−３）が、ピン（１７）のために異なる保持位置を規定していることを特徴とする、織機のための綜絖。
【請求項１５】
保持部材（３５）が、綜絖棒（２）内に直接的に保持された結合部材（８）である、請求項１４記載の綜絖。
【請求項１６】
保持部材（３５）が中間部材（３５−１，３５−２，３５−３）であって、該中間部材は、直接的に綜絖棒（２）内に保持された結合部材（８）に保持されている、請求項１４記載の綜絖。
【請求項１７】
セット（６６）の保持部材（３５）がプラスチックから形成されており、同じ寸法を有する保持部材（３５）は同じ特徴的な識別手段を、異なる寸法を有した保持部材が異なる特徴的な識別手段を有している、請求項１４記載の綜絖。
【発明の詳細な説明】
【技術分野】
【０００１】
本発明は織機のための綜絖に関する。
【背景技術】
【０００２】
綜絖は織機において、例えば杼口を形成するために使用される。綜絖は上方の綜絖棒と下方の綜絖棒とを有していて、これら綜絖棒の端部は側方支持体によって互いに結合されている。上方の綜絖棒と下方の綜絖棒とには綜絖子支持レールが設けられており、この綜絖子支持レール上には綜絖子が多数、互いに平行に保持されている。例えば製品を変更するために織機を調整する際には綜絖はしばしば織機から取り外さなければならない。この場合、例えば綜絖子の変更のために、側方支持体を綜絖棒から取り外して綜絖を組み外す必要もある。
【０００３】
高出力の織機では、綜絖は極めて高い振動負荷をかけられる。この振動負荷により綜絖のいかなる個所においても、たとえ綜絖の端部であっても、材料の亀裂や振動の破壊が起きてはならない。
【０００４】
側方支持体と綜絖棒との間の結合部の形状は、過去に様々な改善が試みられている。
【０００５】
ドイツ連邦共和国特許出願公開第１９６１２４０４号明細書により、側方支持体と綜絖棒との間の解離可能な角隅結合部を有した綜絖が公知である。各角隅結合部では、当該中空室に、綜絖棒内に形成された中空室の側壁にリベット結合されている角隅結合体が挿入されている。角隅結合部の切欠には、側方支持体に設けられたピン状の突起が進入している。この突起はこの切欠内で、締め付けねじによって固定されている。締め付けねじの解除後に側方支持体を取り外すことができる。
【０００６】
この明細書には、別の構成の角隅結合体も開示されている。この角隅結合体では、ピン状の突起に弾性的な支承部が設けられている。この支承部は扁平なピンに、上面、端面、下面で係合している。支承部１４は振動を緩衝するように作用する。
【０００７】
ドイツ連邦共和国特許第１９８５８０１３号明細書により、架台のない綜絖子システムを有した綜絖における、綜絖棒と側方支持体との間の結合部が公知である。結合部には、綜絖棒の中空室に導入される結合部材が設けられている。この結合部材には、側方支持体に設けられたピンを収容するための切欠が設けられている。このピンは、プラスチックから成る中間部材を支持していて、この中間部材が前記切欠に係合する。ピンを長手方向で貫通する固定ねじは、綜絖棒の中空室内に挿入される結合部材に装着されたねじ山付き部材における固定を行う。結合部材は側方支持体長手方向での中空室における所定の可動性を有している。この場合、結合部材は、一方の方向で２つの圧縮ばねによって支持されている。結合部材は上面ではねじによって支持されている。このねじによって、結合部材の正確な位置が調節可能である。このような装置により、綜絖子の遊びが調節可能である。
【０００８】
織機の作業速度が高い場合には、綜絖は極めて大きく加速され、制動される。これにより特に、側方支持体と綜絖棒との間の結合個所の領域で大きな力が生じる。このような力により、側方支持体および綜絖棒において損傷が生じてはならない。この場合、特にピンを長手方向で貫通するねじまたは綜絖棒の側壁を貫通するリベットが脆弱個所であることがわかっている。さらに角隅結合部はできるだけ簡単に製造することができ特別な工具を必要としないのが望ましい。
【特許文献１】ドイツ連邦共和国特許出願公開第１９６１２４０４号明細書
【特許文献２】ドイツ連邦共和国特許第１９８５８０１３号明細書
【発明の開示】
【発明が解決しようとする課題】
【０００９】
そこで本発明の課題は、迅速かつ簡単に組み付け、組み外し可能で、この場合高い耐負荷性を有しているような、織機のための綜絖を提供することである。
【課題を解決するための手段】
【００１０】
この課題は、請求項１記載の綜絖により解決された。
【発明の効果】
【００１１】
本発明による綜絖は、綜絖棒の端部側で開かれた中空室内に接合され、ここで係止固定される結合部材を有している。この結合部材はいわば挿入クランプされるようにはめ込まれ、このために特別な技術や特別な工具は不要である。従って角隅結合部は迅速かつ簡単に形成することができる。結合部材がプラスチックから製造されているならば、同時に緩衝作用も得られる。結合部材は一体的なプラスチック射出成形部分として製造することができるので、製造コストは僅かである。
【００１２】
有利には結合部材は、綜絖棒の２つのウエブの間に挿入されてロックされる。さらに結合部材は駆動力を、側方支持体から綜絖棒へと、有利には面的にウエブへと伝える。これにより、僅かな綜絖棒への負荷は僅かとなり耐疲労性が高くなる。角隅結合部の製造のためには特別な工具または特別な技術は不要である。
【００１３】
結合部材は、綜絖棒の長手方向に関して係止突起によって位置固定されている。力の伝達は、係止突起に隣接して配置されている中間部材の当接面によって動かされる。その反対側には、結合部材を支持するための手段として有利にはばね手段が設けられている。付加的にこの場合、クランプ部材を挿入することができる。このクランプ部材には、外部から操作されるクランプねじが設けられていて、結合部材の係止突起とは反対側の面に押し付けられ、これにより係止突起をクランプ固定する。この場合クランプ部材は上面に、綜絖棒のウエブの内面のための当接面とねじ山付き孔とを有している。このねじ山付き孔内には緊締ねじが装着される。これにより力の伝達が大面積で行われる。
【００１４】
有利な構成では、結合部材が、ピンに係合する保持部材を有している。この保持部材の端部にはばね手段が設けられている。このばね手段は、側方支持体のためのばね弾性的な当接部を形成する。このことは結合部の振動耐性を増強し、その他の面でも有利である。
【００１５】
係止開口が貫通孔であって、この貫通孔によって係止突起が外部から見えるならばさらに有利である。このことは、例えば種々異なる色の結合部材が既に保持されていれば、結合部材がどの色を有しているかを外部から一目で認識することができるという利点を有している。例えば異なる綜絖子の遊びを調節する寸法的に異なる構成の結合部材が提供されるならば、織機の調節は極めて簡単にされる。例えば短い綜絖においては、小さい綜絖子の遊びを調節する結合部材が使用され、長い綜絖においては、大きな綜絖の遊びを調節する別の色の結合部材が使用される。有利にはこのために、複数の種々様々な結合部材のセットが準備されている。このセットでは、同じ色有した結合部材はと同じ寸法を、異なる色を有した結合部材は異なる寸法を有している。
【００１６】
統一的な結合部材を使用すること、およびピンと結合部材との間に中間部材を設けることもできる。中間部材は特に緩衝特性またはばね特性を有している。さらに中間部材は、結合部材に関して上述したように、種々異なる綜絖子の遊びを調節するために、種々異なる色と寸法を有していても良い。このことは結合部材がどのように綜絖棒に固定されているかには関わらず当てはまることである。
【００１７】
同様に、結合部材と綜絖棒との間の結合部の具体的な構成とは無関係に、結合部材または中間部材が、ピンを綜絖棒の側壁から離れるように保持するように形成されていると有利である。このことは結合部材もしくは中間部材と、ピンとの間の形状接続によって得られる。この場合、ピンは横断面で（綜絖棒の側壁に対して垂直に測定して）、中空室の内法の幅よりも薄い。結合部材及び／又は中間部材は、中空室の側壁に支持されていて、ピンを綜絖棒の側壁から間隔をおいて保持する。有利にはピンは中空室においてセンタリングされている。
【００１８】
総じて本発明の構成では次のような利点が維持される。このような利点は構成に応じて個々に得られるか、または付加的に得られる。
【００１９】
綜絖子の遊びを調節するための上記手段により、支持レール上に綜絖子がクランプするのを防止することができる。さらに綜絖子の破損、綜絖子の傾斜位置、縦糸の損傷が防止される。さらに綜絖子の遊びの必要に応じた調節によって、支持レールと綜絖子の摩耗ならびに綜絖から発せられる騒音を減じることができる。さらに製造誤差を補償するまたは修正することができる。綜絖子の遊びを綜絖子の長さに合わせることができる。保持部材は、プラスチックから製造されているならば、軽量であり、振動緩衝作用もある。角隅結合部は所定の可動性を有していて、このことは振動による破損を阻止する。例えば、綜絖子の遊びを調節するため、または修理のための結合部材の交換は、特別な工具なしに、係止結合により簡単に行うことができる。
【００２０】
結合部材と綜絖棒との間の係止結合により、結合部材の位置を正しく固定することができる。結合部材を係止した後、対応する固定ねじをさらに調節することなしに締め付けることができる。このために例えばトルクレンチのような特別な工具は不要である。側方支持体には横方向孔は不要であり、これにより本発明による綜絖では、特に高出力織機に推奨できる。製造コストは僅かである。結合は高価なねじ、リベット、接着なしに、極めて僅かな個別部分で可能である。
【発明を実施するための最良の形態】
【００２１】
次に図面につき本発明の実施の形態を詳しく説明する。
【００２２】
図１には綜絖１が示されている。この綜絖１には、上側綜絖棒２と下側綜絖棒３と２つの側方支持体４，５とが設けられている。両綜絖棒２，３は側方支持体４，５によって端部で互いに結合されていて、これにより互いに平行に間隔をおいて保持されている。両綜絖棒２，３は、図２の綜絖棒２の例で示したようにそれぞれ１つの綜絖子支持レール６を支持している。この綜絖子支持レール６には複数の綜絖子７がその端部孔で保持されている。
【００２３】
図１に示した綜絖１は特に、綜絖棒２，３と側方支持体４，５との間の結合の形式を特徴としている。このような結合が、４つ全ての角隅結合を代表して図２に示されている。
【００２４】
角隅結合の主要なエレメントは、プラスチック射出形成部材によって形成することのできる結合部材８である。この結合部材８は綜絖棒２の中空室９に挿入されている。この中空室９は、上下ではそれぞれウエブ１１，１２によって、並びに側壁１３，１４によって制限されていて、有利にはほぼ長方形の横断面を有している。綜絖棒２は単数または複数のこのような中空室９を有している。中空室９の横断面は有利には、その高さよりもずっと小さい幅（図２で見て図平面に対して垂直方向）を有している。高さとはウエブ１１，１２の間の間隔である。高さは図２では図平面に対して平行に鉛直方向に示されている。
【００２５】
結合部材８は例えば成形体であって、この成形体は下面で、その長さ全体にわたって延び、ウエブ１２の幅を占めるプレートまたはリブ１５を有している。このリブ１５は、側方支持体５に面した端部で脚１６に移行している。脚１６は、さらに述べるが、側方支持体５に一体成形されたピン１７を支承するために働く。リブ１５は、脚１６とは反対側の端部で係止突起１８を支持している。この係止突起１８は、リブ１５を制限する下方の扁平面を越えて下方に向かって突出していて、ウエブ１２に形成された係止孔１９に係合している。
【００２６】
リブ１５は係止突起１８を起点として、まず最初にＵ字型に、次いで反対方向にＣ字型に屈曲された区分２１へと、ウエブ１１の方向で続いている。さらに、リブ１５は、係止突起１８と脚１６との間で、ウエブ１２に対して直角にウエブ１１の方向に延びるように分岐している。リブ１５のこのような区分２２はリブ１５の上方の区分にまで続いていて脚２３を形成している。従って脚１６，２３と区分２２とは、ピン１７のための開口状の収容開口を制限している。区分２２と区分２１との間には、結合部材８を補強するために有利にはリブ１５に一体に形成されたプレート２４が配置されている。このプレート２４の上方では、区分２１，２２が短いウエブ２５によって結合されている。このウエブ２５は区分２１の上方部分と、リブ１５のばね区分２６とによって開口２７を制限している。ばね区分２６は、ウエブ１１の方向で湾曲されていて、このウエブ１１に湾曲部２８で当接している。
【００２７】
綜絖棒２と側方支持体５との間のさらなる結合のためにクランプ部材２９が働いている。このクランプ部材２９は、Ｕ字形に湾曲されたＵ字形金属によって形成されている。このクランプ部材２９の、ウエブ１１に密接している上方の脚はねじ山付き孔３１を有していて、このねじ山付き孔３１内に締め付けねじ３２が装着される。この締め付けねじ３２は端面側の端部で、クランプ部材２９の下方の脚に支持されている。この下方の脚は脚２３に接して位置している。締め付けねじ３２は貫通孔３３において上方のウエブ１１も貫通し、これにより締め付けねじ３２の頭部３４は綜絖棒２の外側に位置する。
【００２８】
ピン１７はほぼディスク状に形成されている。ピン１７の、図平面に対して垂直方向で測定した幅は、中空室９の内法幅よりも小さい。ピン１７の、側壁１３，１４に面した側面には扁平面５１，５２（図７参照）が設けられていて、脚１６，２３に面した側は半円筒状または弓状に湾曲されている。脚１６，２３とピン１７との間には有利には、図３に個別に示されているような中間部材３５が装着されている。中間部材３５は、内側でピン１７に適合する、かつ外側で脚１６，２３と区分２２とに適合する輪郭を有している。原則的にはこの中間部材３５はΩ型に形成されている。中間部材３５の上方の脚３６と下方の脚３７とは同じ、または図３に示したように異なる高さＸ，Ｙを有している。これにより、２つの異なる綜絖子の遊びを、中間部材３５がどの方向でピン１７に被せられているかに応じて調節することができる。これを可能にするために、ピン１７の上方の輪郭および下方の輪郭は有利には同様に形成されている。脚３６，３７の自由端部には図３に示したように、一直線上に位置する短い延長部３８，３９が設けられている。この延長部は、側方支持体５と綜絖棒２との間の正確な間隔を調節すると同時に、ここに存在するギャップ４１の緩衝中間層として働く（図２参照）。
【００２９】
綜絖棒２と側方支持体５との間の結合部材の製造は次のように行われる。
【００３０】
準備段階として綜絖棒２には、設けられていないならばまず最初に係止開口１９を設ける。この場合、この係止開口１９は図２に示されているように下方のウエブ１２に、かつ点線で示したように、場合によっては側壁の一方、例えば側壁１４にフライス操作によって設けられる。係止開口１９はウエブ１２を貫通するように直角に形成されている。側壁１４へと延びる部分は覗き孔を形成する。結合部材８はクランプ部材２９と一緒に中空室９内に導入される。この場合、ばね区分２６が下方に向かって撓められ、係止突起１８がウエブ１２に沿って、係止開口１９内に入るまで滑動する。ばね区分２６の作用下で係止突起１８は係止開口１９に係合する。次いでピン１７に中間部材３５が設けられて中空室９内に押し込まれる。今や貫通孔３３のねじ山付き孔３１に締め付けねじ３２をねじ込むことができ、ねじ固定することができる。これにより脚２３は中間部材３５に押し付けられ、これによりピン１７がクランプ固定される。
【００３１】
中間部材３５は有利には、硬すぎず幾分弾性的な緩衝性のプラスチックから形成されているので、綜絖棒２と側方支持体５との間の振動減衰性の結合が得られる。力の伝達は主として、ウエブ１１，１２と、クランプ部材２９と、ピン１７と、脚１６とによって行われる。側方支持体５と綜絖棒２の局所的な脆弱化は問題にならない程度である。
【００３２】
側方支持体５を取り外す場合、結合部材８は綜絖棒２に残されている。中間部材３５が設けられていない場合は、綜絖子の遊びを変更するためだけに、結合部材８の代わりに、異なる構成の別の結合部材８が使用されても良い。中間部材３５が設けられる場合には、中間部材３５は側方支持体５のピン１７上に組み付けられ、もしくはクランプ保持され、綜絖子の遊びを変更するために、この中間部材３５は、別の構成の別の中間部材３５によって置き換えられる。
【００３３】
図４にはウエブ１と角隅結合部の変化実施例が示されている。上記説明した実施例と同じ構成部分または機能に関しては再度説明はしないので、同じ符号に基づき上記説明を参照されたい。その他の部分は次の通りである。
【００３４】
結合部材８は、中間部材の中間層なしに円弧状に制限されたピン１７を取り囲んでいる。脚１６，２３と区分２２とによって制限された開口は円弧を描いている。特に図５に示したように、脚１６，２３の自由端部には、撓みばねとして働く、小さな曲率半径で円弧状に湾曲された当接区分４２，４３が設けられている。これらの当接区分４２，４３は図４に示したように、側方支持体５にばね弾性的に支持されている。
【００３５】
その他に、結合部材８の上方のばね区分２６が、開口２７と同様に円弧状に形成されている。ばね区分２６は、係止突起１８を係止開口１９に保持するばねを形成する。
【００３６】
Ｕ字形に湾曲されたクランプ部材２９の代わりに単に、脚２３に当接するまっすぐなクランププレート４４が設けられている。このクランププレート４４は円弧状の端部４５で、結合部材８の相応の切欠に支承されている。締め付けねじ３２はこの場合、上方のウエブ１１に形成されたねじ山付き孔４６内に固定されている。ウエブ１１はウエブ１２よりも極めて大きな厚さを有している。
【００３７】
結合部材８の主要な特徴は図６に示されている。脚１６，２３の内輪郭に、必要とあらば区分２２の内輪郭にも有利には真ん中にリブ４７が形成されている。このリブ４７は、隣接する内室内に突出している。このリブ４７の機能は図７により明らかである。ピン１７の外輪郭には溝４８が設けられていて、この溝４８はリブ４７を僅かな遊びで収容できる程の大きさである。さらにピン１７の、扁平面５１，５２の間で測定した幅は、中空室９の内法の幅よりも小さい。扁平面５１，５２はこれにより間隔をおいて側壁１３，１４に対して平行に保持されている。リブ４７と、このリブ４７と溝４８との形状接続とによりピン１７は側壁１３，１４の間でこれらに接触することなくセンタリングされて保持されている。従ってリブ４７と溝４８とは、ピン１７を整合させるための形状接続的に働く手段４９を形成している。
【００３８】
上述した結合部材はそれぞれ１つの係止突起１８と、例えばばね区分２６のような対応するばね手段を有している。しかしながら図８に概略的に示したように、２つの係止突起１８ａ，１８ｂを設けることもできる。これらの係止突起１８ａ，１８ｂは例えば結合部材８の、互いに平行に向けられているほぼ弾性的な脚５３，５４に保持されている。図９に概略的に示したように、脚５３，５４のうち一方にだけ係止突起１８が設けられていても十分である。さらに、係止突起１８が、図１０に示されたように結合部材８の側面に配置されていても良い。このような構成によれば、結合部材８の一方のまたは両方の扁平面に、係止舌片５５の形状の係止手段を設けることができる。この係止手段は、対応する側壁１３または１４に設けられた相応の係止開口に係合する。
【００３９】
綜絖棒２と側方支持体５との間の角隅結合のさらに別の構成は図１１に示されている。この構成では係止手段を有していない結合部材８が形成されている。側壁１３，１４には、円形の、互いに整合する貫通孔５６が設けられていて、この貫通孔５６には円筒状のアンカ５７が装着される。中間部材３５が保持されるピン１７にも横方向孔５８が設けられていて、この横方向孔５８には、横方向で貫通するねじ山付き孔が設けられた円筒状のアンカ５９が配置されている。ねじ山付きピン６１はアンカ５７を貫通し、この場合、アンカ５７に支持されていて、アンカ５９のねじ山付き孔にねじ込まれている。これにより側方支持体５は綜絖棒２に向かって引きつけられる。ねじ山付きピン６１の操作のために少なくとも側壁１３に、有利には側壁１３と側壁１４とにそれぞれ１つの縦長のアクセス開口６２が設けられている。これはねじ山付きピン６１の頭部への接近を保証する。さらに、結合部材８は中空室９を埋めている。結合部材８の環状のリブ１５は下方でウエブ１２に上方でウエブ１１に当接している。脚１６，２３はウエブ１２，１１に当接している。
【００４０】
図１１の角隅結合の構成では、上記全ての構成と同様に、図示した結合部材８と中間部材３５とを寸法的に異なる構成で保持することができる。相違点は単に、脚１６，２３，３６，３７の厚さに関する。両脚１６，２３もしくは３６，３７の間の内法の幅はこの場合常に同じであって、周囲の輪郭は、それぞれピン１７の輪郭と同じである。脚の厚さが異なることにより、種々異なる結合部材８もしくは種々異なる中間部材３５が、ピン１７とウエブ１１，１２との間の種々様々な相対位置を調節することができ、これにより、種々様々な結合部材８もしくは中間部材３５を使用する際に、綜絖棒２，３の間の間隔を段階的に変更することができる。このことは綜絖子の遊びを調節するために行われる。特に、図１１に示した結合部材８（中間部材３５）は僅かに非対称的に形成されていてよく、これにより、概略的に示された軸線６３を中心とした１８０°の旋回により、綜絖子の遊びを変更させることができる。
【００４１】
図１２には中間部材３５ａ，３５ｂ，３５ｃ，３５ｄ，３５ｅ，３５ｆの種々様々な構成が示されている。例えば中間部材は、３５ａ，３５ｂ，３５ｃ，３５ｄ，３５ｅのように対称的に、または選択的に中間部材３５ｆのように非対称的に形成されていて良い。非対称形はこの場合、異なる厚さの脚３６ｆ，３７ｆから成っている。必要とあらば、中間部材３５ａの場合のように、脚３６ａ，３７ａをばねエレメントとして形成することができる。このために脚３６ａ，３７ａは、側方支持体５の長手方向で圧縮可能性を得るために、増大された厚さと切欠とを有している。
【００４２】
中間部材３５ｂ，３５ｃ，３５ｄ，３５ｅの当接区分４２ｂ，４２ｃ，４２ｄ，４２ｅおよび４３ｂ，４３ｃ，４３ｄ，４３ｅのように当接区分４２，４３を種々様々にばね弾性的に形成することもできる。これにより種々異なるばね硬さと減衰作用とが得られる。
【００４３】
図１３には図７に対して選択的に、ピン１７をセンタリングする、または何か側壁１３，１４から離すように保持する形状接続的な手段の別の構成が示されている。図示の実施例では、脚１６，２３，３６，３７のそれぞれ異なる構成が（数字符号に小文字のアルファベットで）示されている。例えばピン１７ａ，１７ｂは滑らかな外周面を有している。ピン１７ａをセンタリングするためには例えば扁平面５１ａ，５１ｂに当接するフィンガ６４，６５が設けられている。これらのフィンガ６４，６５は結合部材８の区分２２から延びている。脚１６ｂ，２３ｂもしくは３６ｂ，３７ｂに扁平面５１ｂ，５２ｂに係合する縁部が設けられていても良い。脚１６ｃ，２３ｃもしくは３６ｃ，３７ｃが、さらに台形状の横断面を有しておいても良い。この場合ピン１７ｃは、三角形状にぐるりと延びる溝を有している。脚１６ｄ，２３ｄもしくは３６ｄ，３７ｄと対応するピン１７ｄのように配置がこれと逆であっても良い。ピン１７ｅを取り囲む方形の溝が設けられていても良く、またはピン１７ｆに環状のリブが設けられていても良い。この場合、脚１６ｅ，２３ｅならびに１６ｆ，２３ｆはそれぞれ相補的に形成されている。
【００４４】
ピン１７は半円筒状または方形状に形成されなくても良い。図１４に示したように、ピン１７と、対応する相補的に成形された中間部材３５または相補的に成形された結合部材８との間の形状接続を形成する種々異なるように成形されたピン１７ｇ〜１７ｋを使用することもできる。
【００４５】
本発明の別の側面は、種々様々な脚の寸法を有した結合部材８のセットの使用にある。または図１５に示したように、同じ外輪郭と同じ内輪郭と異なる厚さの脚３６，３７とを有した中間部材３５，３５−１，３５−２，３５−３から成るセット６６の使用にある。例えば脚３７−１，３７−２，３７−３が互いに寸法的に１：３：５であって、脚３６−１，３６−２，３６−３が互いに寸法的に６：４：２であるならば、各中間部材３５−１，３５−２，３５−３が逆転可能である、即ち内側と外側が対称的に形成されているならば、異なる６つの遊びの寸法を調節することができる。セット６６の中間部材３５は有利には、例えば異なる色、異なる端部長さ等のような異なる特徴的な識別手段を有している。これにより中間部材は視覚的に見分けることができ、組み付け位置を一目で確認することができる。図３〜図１５に示したように中間部材３５には見分け手段として、例えば切り欠き５０，５０−１，５０−２，５０−３を形成することができる。その位置は脚の厚さの特徴を示す。このような手段または類似の手段は、結合部材に寸法的な特徴として設けることができる。
【００４６】
綜絖のための新しい角隅結合手段は、係止突起１８，２６を有していて、これにより角隅結合手段は綜絖棒２に保持することができる。負荷をかけられたロックは、クランプ装置により係止手段とは無関係に行われる。このクランプ装置は綜絖棒２のウエブ１１，１２の間で働く。
【図面の簡単な説明】
【００４７】
【図１】綜絖を概略的に示した正面図である
【図２】図１の綜絖の一部を部分的に断面して異なる縮尺で示した図である
【図３】図２に示した角隅結合部における中間部材を個別に示した図である
【図４】異なる構成の綜絖の一部を部分的に断面して示した図である
【図５】図４の綜絖の結合部材を示した正面図である
【図６】図５の結合部材をＶＩ−ＶＩ線に沿って断面した図である
【図７】図４の綜絖をＶＩＩ−ＶＩＩ線に沿って断面した図である
【図８】綜絖のための結合部材の一構成を示した側方図である
【図９】綜絖のための結合部材の別の構成を示した側方図である
【図１０】綜絖のための結合部材のさらに別の構成を示した側方図である
【図１１】異なる構成の綜絖を概略的に部分的に示した側方図である
【図１２】種々異なる構成の綜絖のための中間部材を、相応の結合部材に使用するためにそれぞれ概略的に示した図である
【図１３】種々異なる構成のピンと中間部材もしくは結合部材を図７の断面図に相応して示した図である
【図１４】種々異なる構成の側方支持体およびその保持ピンをそれぞれ概略的な側方図で示した図である
【図１５】種々異なる綜絖子の遊びのための中間部材のセットを概略的に示した側方図である
【符号の説明】
【００４８】
１  綜絖、  ２，３  綜絖棒、  ４，５  側方支持体、  ６  綜絖子支持レール、  ７綜絖子、  ８  結合部材、  ９  中空室、  １１，１２  ウエブ、  １３，１４  側壁、  １５  リブ、  １６  脚、  １７  ピン、  １８  係止突起、  １９  係止開口、  ２１，２２  区分、  ２３  脚、  ２４  プレート、  ２５  ウエブ、  ２６  ばね区分、  ２７  開口、  ２８  湾曲部、  ２９  クランプ部材、  ３１  ねじ山付き孔、  ３２  締め付けねじ、  ３３  貫通孔、  ３４  頭部、  ３５  中間部材、  ３６，３７  脚、  ３８，３９  延長部、  ４１  ギャップ、  ４２，４３  当接区分、  ４４  クランプ小板、  ４５  端部、  ４６  ねじ山付き孔、  ４７  リブ、  ４８  溝、  ４９  手段、  ５０  切欠、  ５１，５２  扁平面、  ５３，５４  脚、  ５５  係止舌片、  ５６  貫通孔、  ５７  アンカ、  ５８  横方向孔、  ５９  アンカ、  ６１  ねじ山付きボルト、  ６２  アクセス開口、  ６３  軸線、  ６４，６５  フィンガ、  ６６  セット
【図１】
2005126886.tif 000003
【図２】
2005126886.tif 000004
【図３】
2005126886.tif 000005
【図４】
2005126886.tif 000006
【図５】
2005126886.tif 000007
【図６】
2005126886.tif 000008
【図７】
2005126886.tif 000009
【図８】
2005126886.tif 000010
【図９】
2005126886.tif 000011
【図１０】
2005126886.tif 000012
【図１１】
2005126886.tif 000013
【図１２】
2005126886.tif 000014
【図１３】
2005126886.tif 000015
【図１４】
2005126886.tif 000016
【図１５】
2005126886.tif 000017